(57)【特許請求の範囲】
【請求項１】
隣接する縦材に跨って横材が設けられ、当該階の上横材と下横材とにより開口部パネルが支持されたカーテンウォールであって、
下方階の天井側には上側に第１の横材及び下側に第２の横材が配設され、前記当該階の下横材と第１の横材との間に外装材が設けられ、下方階の開口部パネルの上部は前記第２の横材により保持され、
前記下方階の前記第１の横材と前記第２の横材との間に室外に開口する通気口が形成され、
前記当該階の腰壁と下横材とを連結する下額縁に室内に開口する換気口が形成され、前記通気口と前記換気口とが換気通路により連通されていることを特徴とするカーテンウォールの通気構造。
【請求項２】
外装材はパネルであり、その室内側に耐火ボード材が配設され、この耐火ボード材より室内側において換気通路が形成され、この換気通路には板状吸音材が高さ方向に沿って設けられている請求項１記載のカーテンウォールの通気構造。
【請求項３】
換気通路には換気口を通して挿脱自在のサイズの板状吸音材が設けられ、前記換気通路の下方には、板状吸音材の係止受け部が形成され、板状吸音材の前記換気口からの挿入により板状吸音材の下部が前記係止受け部に係止され、板状吸音材の上部が換気通路の上方に着脱自在に固定されている請求項１記載のカーテンウォールの通気構造。
【発明の詳細な説明】
【０００１】
【発明の属する技術分野】
本発明は、カーテンウォールの通気構造に関する。
【０００２】
【従来の技術】
一般に、カーテンウォールは、換気を図るため、あるいは中間期（春・秋）における空調負担の軽減を図るため、室内外空間の通気を可能とする通気構造を採用することがある。そして、この通気構造例として、図１に示すものがある。これは、開口部パネル１０２の下部を保持する無目１０３により、腰部パネル１０１をも保持するとき、その無目１０３に、室内外に連通させる通気路１０４を形成するものである。他方、この種の通気構造を採用する場合には、通気路１０４より室外の騒音が進入し、室内の環境を阻害することに鑑み、通気路１０４に吸音材（図示せず。）を設け防音を図る必要がある。この防音効果を十分に発揮させるためには、吸音面積を広くする必要があり、これに合せて無目１０４の見込み寸法も大きくする必要が生じる。
【０００３】
【発明が解決しようとする課題】
そこで、図１に示すように、無目１０３内において屈曲通気路１０４を形成することにより、消音流通路長さを長くすることにより消音効果を高めることが知られているが、無目１０３内において通気路１０４を形成する限り、消音通路長さの確保に限界があり、したがって十分な消音効果が得られない。
【０００４】
そこで、本発明の主たる課題は、消音（防音）効果に優れた換気通路を構成でき、しかも見込み寸法が小さいものとなるカーテンウォールの通気構造を提供することにある。また、他の課題は、消音材（防音材）の交換が容易な構造も提供しようとすることにある。
【０００５】
【課題を解決するための手段】
上記課題を解決した本発明は、次記のとおりである。
＜請求項１項記載の発明＞
隣接する縦材に跨って横材が設けられ、当該階の上横材と下横材とにより開口部パネルが支持されたカーテンウォールであって、
下方階の天井側には上側に第１の横材及び下側に第２の横材が配設され、前記当該階の下横材と第１の横材との間に外装材が設けられ、下方階の開口部パネルの上部は前記第２の横材により保持され、
前記下方階の前記第１の横材と前記第２の横材との間に室外に開口する通気口が形成され、
前記当該階の腰壁と下横材とを連結する下額縁に室内に開口する換気口が形成され、前記通気口と前記換気口とが換気通路により連通されていることを特徴とするカーテンウォールの通気構造。
【０００６】
＜請求項２記載の発明＞
外装材はパネルであり、その室内側に耐火ボード材が配設され、この耐火ボード材より室内側において換気通路が形成され、この換気通路には板状吸音材が高さ方向に沿って設けられている請求項１記載のカーテンウォールの通気構造。
【０００７】
＜請求項３記載の発明＞
換気通路には換気口を通して挿脱自在のサイズの板状吸音材が設けられ、前記換気通路の下方には、板状吸音材の係止受け部が形成され、板状吸音材の前記換気口からの挿入により板状吸音材の下部が前記係止受け部に係止され、板状吸音材の上部が換気通路の上方に着脱自在に固定されている請求項１記載のカーテンウォールの通気構造。
【０００８】
【発明の実施の形態】
本発明は、概略的に図２に示したように、詳細には図３〜図５、図８及び図９に示すように、隣接する縦材、たとえば躯体に対して固定された方立７，７間に跨って横材としての上無目３及び下無目４が設けられ、当該階Ｆの上無目３と下無目４とにより開口部パネル１が支持され、当該階Ｆの下無目４と下方階Ｆ０の上無目３との間に外装材、実施の形態では腰部パネル２が設けられ、カーテンウォールを構成してある。
【０００９】
本発明においては、特に、下方階Ｆ０の上無目３に室外に開口する通気口３Ａが形成され、当該階Ｆの腰壁９（本実施の形態では、内装材９Ａと仕上材９Ｂとで構成され、床１１Ａとつながっている。）と下無目４とを連結する下額縁３０に室内に開口する換気口３０Ａが形成され、通気口３Ａと換気口３０Ａとを換気通路２０により連通させたものである。
【００１０】
＜第１の参考の形態＞
第１の参考の形態を図３〜５及び図９により、さらに説明する。すなわち、ガラスからなる開口部パネル１の下部及び上部は、下無目４の溝内及び上無目３の溝内に嵌合され、シール材によりシールされ、両側部は、方立７の張出し翼片部７Ａと押縁８との間おいて保持され、シールされている。
【００１１】
外装材、たとえば腰部パネル２は、金属製パネルなどからなり、その下部が下方階Ｆ０の上無目３の溝内に設置され、上部は下無目４と押縁４Ａとの間に保持されている。
【００１２】
下方階Ｆ０の上無目３には、前述したように、室外に開口する通気口３Ａが形成されている。本実施の形態では、図３及び図８に示すように、上無目３の長手方向の中間に室外側面及び室内側面にそれぞれ切欠き部３ａ，３ｂを形成することにより、ほぼ直線的な通気口３Ａを形成してある。この通気口３Ａは、その形状を特に限定するものではなく、例えば、図１に示したような屈曲通気路とすることもできる。
【００１３】
当該階Ｆの腰壁９と下無目４とを連結する下額縁３０は、室外側部分を構成する室外側下額縁３２と、室内側部分を構成する室内側下額縁３１と、これらの間に跨る本体３４及び蓋材３３とで構成されている。蓋材３３は、その室内側端部が、室内側下額縁３１にビス５３で固定またはビス５３で固定されることなく単に被さっている。また、蓋材３３の室外側端部には、係止部３３Ａが形成されており、室外側下額縁３２に形成された受け係止部３２Ａに係止されている。これにより、図９に拡大して示すように（なお、図９においては、吸音材４０を図示していない。）、蓋材３３は、その室外側端部を中心軸として回動可能となり、蓋材３３の室内側端部を持ち上げた状態において、下額縁３０には、換気口３０Ａが形成される構成となっている。蓋材３３は、（ビス５３固定の場合にはビス５３を取り外した後、）室内側端部を持ち上げることにより室外側端部を中心軸として回動させ、取り外し方向（図９参照）に引けば係止が解除され、取り外すことができる。
【００１４】
また、下方階Ｆ０の天井１１Ｂ等とつながる仕上材１０と上無目３とを連結する上額縁３５も、下額縁３０と同様の構成を有し、蓋材３３と同様の構成を有する蓋材３６が設けられ、開口可能となっている。したがって、蓋材３６を開いてまたは取り外して換気通路２０の保守を容易に行なうことができる。
【００１５】
ところで、本参考の形態においては、通気口３Ａと換気口３０Ａとを連通する換気通路２０が、通気口３Ａの室内側面から、腰部パネル２の室内側に配設された耐火ボード材５の下方をその室内側まで延在し、さらに、そこから上方向に耐火ボード材５と並列して下額縁３０の下側面まで延在している。そして、換気通路２０の上方向に延在する部分のうちの、室内側面の一部が、吸音材４０で形成されている。吸音材４０は、孔開鉄板４１と、グラスウールやロックウール等の繊維質材料４２とで構成され、繊維質材料４２が、室外からの騒音を吸収するため、吸音（防音）効果を得ることができる。
【００１６】
＜第２の参考の形態＞
図６及び図７に、第２の参考の形態を示した。この形態は、第１の参考の形態における吸音材４０を、他の形態の吸音材４５に変更したものである。
【００１７】
吸音材４５は、周囲、たとえば四周囲を枠組みしたフレーム材４５ａに、アルミをベースとした多孔質吸音材料、双極子をもった高分子フィルムや、吸音ゴム材等の吸音性能を有する板状の部材をビス５４で固定し、全体としては実質的に剛性体としたものである。そして、吸音材４５は、換気口３０Ａから取り替え可能となっている。具体的には、換気通路２０の下方に、その横方向に延在し上側が開口する受け係止部２０ａが形成され、下フレーム材４５ａを受け係止部２０ａに挿入し係止させることにより、吸音材４５の下端部が換気通路２０に係止固定される構成となっている。また、吸音材４５の上端部は、その上フレーム材４５ａを、覆い固定金具２０ｂで押えながらビス固定するようにしてある。
【００１８】
＜第１の実施の形態＞
図１０に、第１の実施の形態を示した。第１及び第２の参考の形態においては、下方階の上無目３に切欠き部３ａ，３ｂを形成することにより通気口３Ａを形成した。
【００１９】
これに対し、第１の実施の形態においては、下方階Ｆ０の天井側には上側に第１の横材３ｄ及び下側に第２の横材３ｅが配設され、当該階Ｆの下横材４と第１の横材３ｄとの間に外装材、実施の形態では腰部パネル２が設けられ、下方階Ｆ０の開口部パネル１の上部は前記第２の横材３ｅにより保持されている。
【００２０】
そして、下方階Ｆ０の天井側において、第１の横材３ｄと第２の横材３ｅとの間に室外に開口する通気口３Ａが形成されている。この通気口３Ａと換気口３０Ａとは、換気通路２０により連結されているものである。
【００２１】
ここで、下方階Ｆ０の開口部パネル１の上部は第２の横材３ｅにより保持されている限り、その下方階Ｆ０の開口部パネル１の下部についての保持形態に限定されない。また、上方階Ｆにおける開口部パネル１の上部の保持形態についても、下方階Ｆ０の開口部パネル１の上部の保持形態と同一であることに限定されない。もちろん、図１０に示す開口部パネル１及び外装材もしくは腰部パネル２の保持構造がある階層分同一の形態をもって繰り返す構造を採ることができる。
【００２２】
【発明の効果】
以上で説明した通り、本発明に係るカーテンウォールの通気構造によれば、消音（防音）効果に優れ、しかも見込み寸法が小さいものとなる。また、消音材（防音材）の交換が容易となる。
【図面の簡単な説明】
【図１】  従来の通気構造の説明図である。
【図２】  本発明の通気構造の説明図である。
【図３】  第１の参考の形態に係る通気構造の縦断面図である。
【図４】  図３のＡ−Ａ線矢視図である。
【図５】  図３のＢ−Ｂ線矢視図である。
【図６】  第２の参考の形態に係る通気構造の縦断面図である。
【図７】  図６のＣ−Ｃ線矢視図である。
【図８】  図３における通気口部分の斜視図である。
【図９】  蓋材の回動状態の説明図である。
【図１０】  第１の実施の形態に係る通気構造の縦断面図である。
【符号の説明】
１…開口部パネル、２…腰部パネル、３…上無目、３Ａ…通気口、３ａ，３ｂ…切欠き部、３ｄ…第１の横材、３ｅ…第２の横材、４…下無目、５…耐火材、６…網状部材、７…方立、１１Ａ…床、１１Ｂ…天井、２０…換気通路、２０Ａ…受け係止部、３０，３５…額縁、３０Ａ…換気口、３１…室内側額縁、３２…室外側額縁、３２Ａ…受け係止部、３３，３６…蓋材、３３Ａ…係止部、４０…吸音材、４１…孔開鉄板、４２…繊維質材料、４５…吸音材、４５ａ…係止部、５０〜５４…ビス、１０１…腰部パネル、１０２…開口部パネル、１０３…無目、１０４…通気口、Ｆ…当該階、Ｆ０…下方階、Ｗ…空気の流れ。
【図１】
0003841334.tif 000002
【図２】
0003841334.tif 000003
【図３】
0003841334.tif 000004
【図４】
0003841334.tif 000005
【図５】
0003841334.tif 000006
【図６】
0003841334.tif 000007
【図７】
0003841334.tif 000008
【図８】
0003841334.tif 000009
【図９】
0003841334.tif 000010
【図１０】
0003841334.tif 000011